(57)【要約】【課題】ユーザが表示されるデータ項目が更新された最新のものなのか、古い内容なのかを知ることができるようにして、安心してナビゲーションによる誘導運転を行うことができるようにする。【解決手段】差分データを受信してデータベースを更新する車載用ナビゲーション装置において、前記差分データと更新前のデータベースの記憶内容とに基づいて、表示されるデータ項目とともに当該データの鮮度情報を表示する。例えば鮮度情報は、表示されるデータ項目の新鮮度を示す情報を含む。また、前記鮮度情報は前記表示されるデータ項目の新鮮度が保証されているかどうかを示す情報であって、当該データ項目の鮮度に応じた表示がなされていることでもよい。【選択図】　　　　図５
2004085286.tif 000002
【特許請求の範囲】
【請求項１】
差分データを受信してデータベースを更新する車載用ナビゲーション装置において、前記差分データと更新前のデータベースの記憶内容とに基づいて、表示されるデータ項目とともに当該データの鮮度情報を表示する手段を有することを特徴とする車載用ナビゲーション装置。
【請求項２】
前記鮮度情報は、前記表示されるデータ項目の新鮮度を示す情報を含むことを特徴とする請求項１記載の車載用ナビゲーション装置。
【請求項３】
前記鮮度情報は前記表示されるデータ項目の新鮮度が保証されているかどうかを示す情報であって、当該データ項目の鮮度に応じた表示がなされていることを特徴とする請求項１記載の車載用ナビゲーション装置。
【請求項４】
前記鮮度情報は、前記表示されるデータ項目が新たに追加されたものかどうかを示す情報を含むことを特徴とする請求項１記載の車載用ナビゲーション装置。
【請求項５】
前記データベースを検索して指定されたデータ項目を抽出する手段と、データ項目毎に当該データが最新のバージョンであるかどうかを判断する手段と、判断の結果に応じてデータ項目毎に当該データ項目の鮮度情報を付加して表示画面を作成する手段とを有することを特徴とする請求項１記載の車載用ナビゲーション装置。
【請求項６】
前記手段は、データ項目と、データ項目毎に新鮮度が保証されているかどうかを示す鮮度情報と、データ項目毎に当該データが最新のバージョンであるかどうかを示す鮮度情報とを含むリストを作成する手段を含むことを特徴とする請求項１記載の車載用ナビゲーション装置。
【請求項７】
前記手段は、データ項目と、データ項目毎に新鮮度の度合いを示すバー表示で形成される鮮度情報とを含むリストを作成する手段を含むことを特徴とする請求項１記載の車載用ナビゲーション装置。
【請求項８】
前記手段は、データ項目と、データ項目毎に新鮮度の度合いに応じた色の表示で形成される鮮度情報と、データ項目毎に当該データが最新のバージョンであるかどうかを示す鮮度情報を作成する手段を含むことを特徴とする請求項１記載の車載用ナビゲーション装置。
【請求項９】
前記手段は、新鮮度に応じて異なる表示位置で表示されるデータ項目と、データ項目毎に当該データが最新のバージョンであるかどうかを示す鮮度情報とを含むリストを作成する手段を含むことを特徴とする請求項１記載の車載用ナビゲーション装置。
【請求項１０】
前記手段は、データ項目と、データ項目毎に新鮮度に応じた大きさのアイコンで形成される鮮度情報とを含むリストを作成する手段を含むことを特徴とする請求項１記載の車載用ナビゲーション装置。
【請求項１１】
前記手段は、データ項目と、データ項目毎に前記データベース上で更新された日で形成される鮮度情報と、データ項目毎に当該データが最新のバージョンであるかどうかを示す鮮度情報とを含むリストを作成する手段を含むことを特徴とする請求項１記載の車載用ナビゲーション装置。
【請求項１２】
前記手段は、表示されるデータ項目と、当該データの鮮度情報とを所定の規則に従ってソートして表示することを特徴とする請求項１記載の車載用ナビゲーション装置。
【請求項１３】
前記データ項目は、ＰＯＩ（Ｐｏｉｎｔ　Ｏｆ　Ｉｎｔｅｒｅｓｔ）データであることを特徴とする請求項１から１２のいずれか一項記載の車載用ナビゲーション装置。
【請求項１４】
差分データを受信してデータベースを更新する第１のステップと、前記差分データと更新前のデータベースの記憶内容とに基づいて、表示されるデータ項目とともに当該データの鮮度情報を表示する第２のステップとを有することを特徴とするナビゲーション情報表示方法。
【請求項１５】
前記データベースを検索して指定されたデータ項目を抽出するステップと、データ項目毎に当該データが最新のバージョンであるかどうかを判断するステップと、判断の結果に応じてデータ項目毎に当該データ項目の鮮度情報を付加して表示画面を作成するステップとを有することを特徴とする請求項１４記載のナビゲーション情報表示方法。
【請求項１６】
前記鮮度情報は、前記表示されるデータ項目の新鮮度を示す情報を含むことを特徴とする請求項１４記載のナビゲーション情報表示方法。
【請求項１７】
前記鮮度情報は前記表示されるデータ項目の新鮮度が保証されているかどうかを示す情報であって、当該データ項目の鮮度に応じた表示がなされていることを特徴とする請求項１４記載のナビゲーション情報表示方法。
【請求項１８】
前記鮮度情報は、前記表示されるデータ項目が新たに追加されたものかどうかを示す情報を含むことを特徴とする請求項１４記載のナビゲーション情報表示方法。
【請求項１９】
前記データ項目は、ＰＯＩ（Ｐｏｉｎｔ　Ｏｆ　Ｉｎｔｅｒｅｓｔ）データであることを特徴とする請求項１４から１８のいずれか一項記載のナビゲーション情報表示方法。
【請求項２０】
コンピュータに、
差分データを受信してデータベースを更新するステップと、前記差分データと更新前のデータベースの記憶内容とに基づいて、表示されるデータ項目とともに当該データの鮮度情報を表示するステップとを実行させるためのナビゲーション情報表示用プログラム。
【発明の詳細な説明】
【０００１】
【発明の属する技術分野】
本発明は車載用ナビゲーション装置、ナビゲーション情報表示方法及びプログラムに関し、より詳細には差分データを受信してデータベースを更新する車載用ナビゲーション技術に関する。
【０００２】
【従来の技術】
従来、車載用ナビゲーション装置における地図情報等のナビ用データベースは、ＣＤ−ＲＯＭ、ＤＶＤ等の記録媒体に格納されて販売されており、ユーザは当該ナビ用データベースが格納された記録媒体を購入して車載用ナビゲーション装置内のデータベースを更新していた。特に、地図情報に含まれている、店舗、銀行、ガソリンスタンド、レストラン、ホテル、駐車場等の異なるカテゴリーのＰＯＩ（Ｐｏｉｎｔ　ｏｆ　Ｉｎｔｅｒｅｓｔ）データの更新状況は、ＰＯＩデータを含む地図情報等のナビ用データベースが格納された記録媒体そのものの更新情報を示すバージョン値でしか確認できないのが現状である。
【０００３】
一方では、近年ナビ用データベースの全体の内更新された差分ＰＯＩデータだけが記憶された記録媒体から当該差分ＰＯＩデータを取り込んで安価に更新できる方法が主流になっている。また、図１２に一般的な差分データ配信の様子を示すように、データベース配信基地局側のデータベース１０１に格納されている差分ＰＯＩデータを配信するデータベース配信基地局１００から衛星２００を介して車両に搭載されたカーナビユニット３００へ配信する衛星デジタル放送を用いた配信方法や、データベース配信基地局１００から地上波デジタル放送やＦＭ多重放送を用いた配信方法で配信するサービスも提案されている。
【０００４】
図１２に示す方法は、広域なエリアに対して全てのＰＯＩ差分データを更新するため膨大なデータ量のデータを受信することになるため、一度にダウンロードが完了するまで長時間を要する。例えば、全米において一年間で更新されるＰＯＩデータを、ＸＭサテライトラジオを使って更新するだけで１００時間必要になる。一方で、全てのＰＯＩデータの内三分の一が毎年更新されている。このような状況で一度にダウンロードすることは現実には不可能である。また、データの取りこぼし等を考えると実際に使用した時には、ダウンロード時間より更に長時間を要することになる。更に、ＰＯＩ差分データのみ格納された安価な記録媒体から読み出して更新しても、随時更新される時期と購入時期のタイムラグはどうしても生じてしまう。
【０００５】
そこで、ユーザは更新途中のデータベースを用い、更新が完了しない時点でナビゲーション機能の検索を実行させている。
【０００６】
【発明が解決しようとする課題】
しかしながら、更新途中のデータベースを用いると、検索により得られたＰＯＩデータなどのデータは、それが既に更新されていれば最新データであるが、未だ更新されていなければ古い内容のままである。ユーザは検索により得られたデータが最新の内容なのかどうかを判断することができず、ナビゲーション装置を信頼することができなくなってしまうという問題点がある。
【０００７】
従って、本発明は上記従来技術の問題点を解決し、安心してナビゲーションによる誘導運転を行うことができる信頼性の高い車載用ナビゲーション装置、ナビゲーション情報表示方法及び該方法を実施するためのプログラムを提供することを目的とする。
【０００８】
【課題を解決するための手段】
本発明は、差分データを受信してデータベースを更新する車載用ナビゲーション装置において、前記差分データと更新前のデータベースの記憶内容とに基づいて、表示されるデータ項目とともに当該データの鮮度情報を表示する手段を有する車載用ナビゲーション装置である。表示されるデータ項目とともに当該データの鮮度情報を表示するので、ユーザは表示されるデータ項目が更新された最新のものなのか、古い内容なのかを知ることができ、安心してナビゲーションによる誘導運転を行うことができる。
【０００９】
上記車載用ナビゲーション装置において、例えば、前記鮮度情報は前記表示されるデータ項目の新鮮度を示す情報を含む。これにより、ユーザは表示される新鮮度に応じたナビゲーションによる誘導運転を安心して行うことができる。
【００１０】
上記車載用ナビゲーション装置において、例えば、前記鮮度情報は前記表示されるデータ項目の新鮮度が保証されているかどうかを示す情報であって、当該データ項目の鮮度に応じた表示がなされている。これにより、ユーザは表示されるデータ項目を用いてナビゲーションによる誘導運転を安心して行うことができる。
【００１１】
上記車載用ナビゲーション装置において、例えば、前記鮮度情報は前記表示されるデータ項目が新たに追加されたものかどうかを示す情報を含む。これにより、ユーザはより快適なナビゲーションによる誘導運転を安心して行うことができる。
【００１２】
上記車載用ナビゲーション装置は、例えば、前記データベースを検索して指定されたデータ項目を抽出する手段（後述するＣＰＵ１１に相当する）と、データ項目毎に当該データが最新のバージョンであるかどうかを判断する手段（後述するＰＯＩデータ処理部２０に相当する）と、判断の結果に応じてデータ項目毎に当該データ項目の鮮度情報を付加して表示画面を作成する手段（後述する表示制御部１７に相当する）とを有する。
【００１３】
上記車載用ナビゲーション装置において、例えば、前記手段は、データ項目と、データ項目毎に新鮮度が保証されているかどうかを示す鮮度情報と、データ項目毎に当該データが最新のバージョンであるかどうかを示す鮮度情報とを含むリストを作成する手段を含む。後述する図５の実施形態に対応する構成である。
【００１４】
上記車載用ナビゲーション装置において、例えば、前記手段は、データ項目と、データ項目毎に新鮮度の度合いを示すバー表示で形成される鮮度情報とを含むリストを作成する手段を含む。後述する図６の実施形態に対応する構成である。
【００１５】
上記車載用ナビゲーション装置において、例えば、前記手段は、データ項目と、データ項目毎に新鮮度の度合いに応じた色の表示で形成される鮮度情報と、データ項目毎に当該データが最新のバージョンであるかどうかを示す鮮度情報を作成する手段を含む。後述する図７の実施形態に対応する構成である。
【００１６】
上記車載用ナビゲーション装置において、例えば、前記手段は、新鮮度に応じて異なる表示位置で表示されるデータ項目と、データ項目毎に当該データが最新のバージョンであるかどうかを示す鮮度情報とを含むリストを作成する手段を含む。後述する図８の実施形態に対応する構成である。
【００１７】
上記車載用ナビゲーション装置において、例えば、前記手段は、データ項目と、データ項目毎に新鮮度に応じた大きさのアイコンで形成される鮮度情報とを含むリストを作成する手段を含む。後述する図９に示す実施形態に対応する構成である。
【００１８】
上記車載用ナビゲーション装置において、例えば、前記手段は、データ項目と、データ項目毎に前記データベース上で更新された日で形成される鮮度情報と、データ項目毎に当該データが最新のバージョンであるかどうかを示す鮮度情報とを含むリストを作成する手段を含む。後述する図１０に示す実施形態に対応する構成である。
【００１９】
上記車載用ナビゲーション装置において、例えば、前記手段は、表示されるデータ項目と、当該データの鮮度情報とを所定の規則に従ってソートして表示する。後述する図１１に示す実施形態に対応する構成である。
【００２０】
また、上記車載用ナビゲーション装置において、例えば、前記データ項目はＰＯＩ（Ｐｏｉｎｔ　Ｏｆ　Ｉｎｔｅｒｅｓｔ）データである。
【００２１】
また、本発明は、差分データを受信してデータベースを更新するステップと、前記差分データと更新前のデータベースの記憶内容とに基づいて、表示されるデータ項目とともに当該データの鮮度情報を表示するステップとを有するナビゲーション情報表示方法である。表示されるデータ項目とともに当該データの鮮度情報を表示するので、ユーザは表示されるデータ項目が更新された最新のものなのか、古い内容なのかを知ることができ、安心してナビゲーションによる誘導運転を行うことができる。
【００２２】
上記方法は更に、前記データベースを検索して指定されたデータ項目を抽出するステップと、データ項目毎に当該データが最新のバージョンであるかどうかを判断するステップと、判断の結果に応じてデータ項目毎に当該データ項目の鮮度情報を付加して表示画面を作成するステップとを有する構成とすることができる。
【００２３】
また、上記方法において、前記鮮度情報は、前記表示されるデータ項目の新鮮度を示す情報を含む構成とすることができる。
【００２４】
更に、上記方法において、前記鮮度情報は前記表示されるデータ項目の新鮮度が保証されているかどうかを示す情報であって、当該データ項目の鮮度に応じた表示がなされている構成とすることができる。
【００２５】
更に、上記方法において、前記鮮度情報は、前記表示されるデータ項目が新たに追加されたものかどうかを示す情報を含む構成とすることができる。
【００２６】
更に、本発明は、コンピュータに、差分データを受信してデータベースを更新するステップと、前記差分データと更新前のデータベースの記憶内容とに基づいて、表示されるデータ項目とともに当該データの鮮度情報を表示するステップとを実行させるためのナビゲーション情報表示用プログラムである。本発明のプログラムを車載用ナビゲーション装置にインストールすることで、ユーザは表示されるデータ項目が更新された最新のものなのか、古い内容なのかを知ることができ、安心してナビゲーションによる誘導運転を行うことができるようになる。
【００２７】
【発明の実施の形態】
以下、本発明の実施の形態を、添付図面を参照して説明する。
【００２８】
（構成）
図１は、本発明の一実施の形態に係る車載用ナビゲーション装置の構成を示すブロック図の形態で示したものである。なお、本実施の形態ではデータベース配信基地局から受信する差分データをＰＯＩ差分データとして説明するものとするが、地図情報の差分データでも良い。同図に示す車載用ナビゲーション装置１０は、ＣＰＵ１１、データベース１２、ＲＯＭ１３、ＲＡＭ１４、差分データ受信部１５、表示部１６、表示制御部１７、操作部１８、記録媒体ドライブ１９及びＰＯＩ差分データ処理部２０とを有している。
【００２９】
ＣＰＵ１１は、後述するＲＯＭ１３に記憶されたナビゲーション機能等の多種機能を実行するプログラムに従って演算処理や各構成部の制御を行う。データベース１２は、後述する差分データ受信部１５によって受信し、あるいは後述する記録媒体２１から記録媒体ドライブ１９によって読み出したＰＯＩ差分データを含むＰＯＩデータや道路情報データ等のナビ用データを格納する。ＲＯＭ１３は、データベース１２と、ナビゲーション機能等の多種機能を実行するプログラムを記憶する。ＲＡＭ１４は、演算データや表示データ等を一時記憶する。差分データ受信部１５は、衛星デジタル放送、地上波デジタル放送やＦＭ多重放送等の放送系を介してデータベース配信基地局から配信されて来るＰＯＩ差分データを受信する。表示部１６は液晶パネルなどで形成される。表示制御部１７は、データベース１２に格納されているＰＯＩデータを含む地図情報、自車両の位置、案内表示、操作アイコン等を表示するため情報をＲＯＭ１３に格納されているプログラムに従って表示制御する。操作部１８は、操作ボタン、リモコンやタッチ式ボタン等を含む入力装置である。記録媒体ドライブ１９は、ＰＯＩデータ、あるいはＰＯＩ差分データが格納されたＣＤ−ＲＯＭやＤＶＤ等の記録媒体２１から当該ＰＯＩ差分データを読み出す。ＰＯＩ差分データ処理部２０はＰＯＩ差分データを処理する。上記各部は内部バス２２を介して互いに接続されている。その他には、自車両位置を検出するためにＧＰＳ検出部、Ｇｙｒｏ検出部や車速パルス検出部等を有しているが、詳細は省略する。
【００３０】
また、図２は図１の差分データ処理部２０の構成を示すブロック図である。なお、図１と同じ参照符号は同じ構成要素を示す。同図において、ＰＯＩ差分データ処理部２０は、ＰＯＩ差分データ書込み処理部２０−１、付加情報検出部２０−２、更新情報比較部２０−３及び鮮度算出部２０−４を含んで構成されている。ＰＯＩ差分データ書込み処理部２０−１は、データベース配信基地局から受信した、あるいは記録媒体から読み出したＰＯＩ差分データをデータベース１２に書き込む処理を実行する。ＰＯＩデータの付加情報検出部２０−２は、データベース１２から読み出したＰＯＩデータに付加された更新情報から更新日、バージョン値、ダウンロード日付等の付加情報を検出する。また、更新情報比較部２０−３は、ＰＯＩ差分データに付加された新規な更新情報とＰＯＩ差分データを受信する前の更新情報とを比較する。更に、鮮度算出部２０−４は、更新情報比較部２０−３による比較の結果に応じて表示する情報の鮮度を算出する。
【００３１】
このような構成を有するＰＯＩ差分データ処理部２０によれば、ＰＯＩ差分データ書込み処理部２０−１は、データベース配信基地局から受信した、あるいは記録媒体から読み出したＰＯＩ差分データをデータベース１２に書き込む。そして、ＰＯＩデータの付加情報検出部２０−２は、ユーザによって検索指示され、ＣＰＵ１１の制御のもとにデータベース１２から読み出されたＰＯＩデータから、付加データを検出する。そして、更新情報比較部２０−３は、ＰＯＩ差分データに付加された新規な更新情報とＰＯＩ差分データが書き込まれる前の更新情報とを比較する。更に、鮮度算出部２０−４は更新情報比較部２０−３による比較の結果に応じて、表示する情報の鮮度を算出する。表示制御部１７は、所定のプログラムに基づいてＰＯＩデータによる画面表示に付加データによる画像表示として、バージョン値や鮮度を後述する表示例のように併記して表示部１６に表示するように表示制御処理を施す。
【００３２】
ここで、ＰＯＩ差分データのデータ構成を図３に示して説明すると、差分配信で送られて取り込んだＰＯＩ差分データは、ヘッダ部３１と、そして差分ＰＯＩデータ部３２が所定の数繰り返し連続した後に再度ヘッダ部３１を設けてデジチェーン的に連結して構成されている。また、ヘッダ部３１には情報ソース元の更新情報（図中▲１▼）が記憶され、差分ＰＯＩデータ部３２には、情報更新日付（図中▲２▼）、ダウンロード日付（図中▲３▼）、情報の取り扱い区分（図中▲４▼）、個々のＰＯＩデータ、例えば店舗名、電話番号、位置情報等のデータ（図中▲５▼）が記憶されている。ここで、情報ソース元の更新情報は、情報ソール元が管理しているデータバージョン、例えばＮＴＴ２００２．Ｖｅｒ．２．１で表示されるデータである。情報更新日付のデータは、そのデータがデータベースに更新された日付のデータであり、例えば２００２．２．１９で表示されるデータである。また、ダウンロード日付のデータは車載用ナビゲーション装置内のデータベースにダウンロードした日付のデータである。なお、このダウンロード日付は車載器側で付加してもよい。更に、情報の取り扱い区分とは、情報（ここではＰＯＩデータ）が後述する更新される状態に応じて処理が異なることを示唆する区分である。更新される状態には、１）ＰＯＩデータが追加された場合例えば店が新規に開店した場合、２）ＰＯＩデータが入れ替わった場合例えば電話番号がそのままで店の名前が変わった場合、３）ＰＯＩデータがなくなった場合例えば店が閉店した場合、がある。上記２）や３）のＰＯＩデータは差分ＰＯＩデータを配信元側で作るときに選び出される。また、上記２）は電話番号が変わっていながら名前が変わった場合であり、上記３）は更新前のＰＯＩデータでは存在した電話番号が更新後のＰＯＩデータでなくなっている場合である。
【００３３】
（動作）
次に、本発明の車載用ナビゲーション装置における表示制御動作について図１〜図３を用いて、また動作フローを示す図４に従って説明する。
【００３４】
はじめに、データベース配信基地局では、実際のＰＯＩデータの更新、例えば店舗等の実地調査や電話帳による電話番号検索を行って新規な店舗等の追加、電話番号は同じで店舗等の名称のみ変更、または閉店となった店舗や閉鎖となった施設等の削除を行っている。実際には、このような調査を行う調査委託会社が複数あり、データベース配信基地局では各調査委託会社で得られた調査結果を合体させて１つの配信用データベースを作成して配信サービスを行っている。このように作成した配信用データベースからデータベース配信基地局では差分配信サービスに適用されるＰＯＩ差分データを作成する。そして、データベース配信基地局は前述した配信手段を用いて各ユーザのカーナビユニットに配信を行う。このようにデータベース配信基地局から配信されてくるＰＯＩ差分データを差分データ受信部１５によって受信するか、またはユーザが購入したＣＤ−ＲＯＭやＤＶＤ等の記録媒体２１に格納されたＰＯＩ差分データを記録媒体ドライブ１９により読み出すと、ＣＰＵ１１の指示によりＰＯＩ差分データ処理部２０のＰＯＩデータの付加情報検出部２０−２は取り込んだＰＯＩ差分データのヘッダ部３１に記憶されているＰＯＩ差分データの更新情報を検出して更新情報比較部２０−３に供給する。更新情報比較部２０−３はＰＯＩ差分データの更新情報とデータベース１２の更新情報を比較してＰＯＩ差分データの更新情報が新しい場合は、ＰＯＩ差分データ書込み処理部２０−１に対して取り込んだＰＯＩ差分データのデータベース１２への書き込みを指示する（ステップＳ１０１，Ｓ１０２、ステップＳ１０３；ＹＥＳ、ステップＳ１０４）。
【００３５】
その後、ユーザが操作部１８により検索等の指示を行うと（ステップＳ１０５；ＹＥＳ）、ＣＰＵ１１はＲＯＭ１３に記憶されているプログラムに従ってユーザの検索指示に対応する処理を実行し、処理結果を表示制御部１７を介して表示部１６に表示しようとする。このとき、処理結果に伴ってデータベース１２から読み出したＰＯＩデータは、ＰＯＩ差分データ処理部２０に供給される（ステップＳ１０６）。そして、ＰＯＩ差分データ処理部２０のＰＯＩデータの付加情報検出部２０−２は供給されたＰＯＩデータのヘッダ部３１に記憶されている更新情報を検出し、更新情報比較部２０−３によって読み出したＰＯＩデータは更新されたデータか否かを判断する（ステップＳ１０７）。更新されたＰＯＩデータであれば、このＰＯＩデータのデータ新鮮度を「保証」にする（ステップＳ１０７；ＹＥＳ、ステップＳ１０８）。そして、前述した情報の取り扱い区分が“ＰＯＩ追加”を示しているかどうかを判断する（ステップＳ１０９）。ＮＯの場合には、現在処理しているＰＯＩデータとともに「保証」を表示する（ステップＳ１１３）。
【００３６】
ここで、表示画面の一例を図５に示す。画面には検索結果リストが表示される。検索結果リストは、検索されたＰＯＩデータとともに、ＰＯＩデータ表示欄４１及び鮮度情報を示す２つの鮮度情報表示欄４２と４３が設けられている。表示欄４２は、ＰＯＩデータが新規に設けられた（データベースの更新前には定義されていなかった）ものであることを示す“Ｎｅｗ”を表示する。表示欄４３は、ＰＯＩデータが最新のものであることを保証するか否かを表示する。保証されている場合には「新鮮度：保証」が表示され、保証されていない場合には「新鮮度：非保証」が表示される。
【００３７】
図４に戻り、ステップＳ１１３での表示は、図５の“ＣＣＣ　Ｂｏｏｋ　Ｓｔｏｒｅ”のＰＯＩデータのようになる。表示欄４２はブランクである。ステップＳ１０９の判断結果がＹＥＳの場合には、ＰＯＩデータとともに、「保証」及び新規ＰＯＩデータであることを示す“Ｎｅｗ”を表示する（ステップＳ１１０）。例えば、図５の“ＡＡＡ　Ｓｈｏｐ”のＰＯＩデータのように、表示欄４２に“Ｎｅｗ”が表示され、表示欄４２に「新鮮度：保証」が表示される。ステップＳ１０７の判断結果がＮＯの場合には、データ新鮮度を「非保証」にする（ステップＳ１１１）。そして、ＰＯＩデータとともに、「非保証」を表示する（ステップＳ１１２）。図５の例では“ＢＢＢ　Ｓｈｏｐ”や“ＤＤＤ　Ｓｈｏｐ”がステップＳ１１２の処理による表示である。
【００３８】
以上のように、差分データを受信してデータベースを更新するステップＳ１０１〜Ｓ１０４と、前記差分データと更新前のデータベースの記憶内容とに基づいて、表示されるデータ項目とともに当該データの鮮度情報を表示するステップＳ１０５〜Ｓ１１２とを有するナビゲーション情報表示方法により、ユーザは表示されるデータ項目が更新された最新のものなのか、古い内容なのかを知ることができ、安心してナビゲーションによる誘導運転を行うことができる。
【００３９】
本発明の車載用ナビゲーション装置におけるＰＯＩデータによる表示は、上述した図５の表示例以外に図６〜図１１に示す態様が考えられる。図６に示す表示例では、信頼度保証高低バー上であって、ＰＯＩデータの鮮度に相当する位置にマーク（図中▽印）を付記する。図７に示す表示例では、ＰＯＩデータの店舗等の名称表示欄４１毎に新表示欄４２に表記された、例えば更新されたＰＯＩデータで新鮮度は保証される場合更新の表示である「Ｎｅｗ」の枠内を青色で塗りつぶし、未更新の表示で、新鮮度は非保証であれば枠内を赤色で塗りつぶす。なお、「Ｎｅｗ」自体に色を付けて表示してもよい。また、図８に示す表示例では、更新／未更新、そして新鮮度の保証／非保証に応じてＰＯＩデータの店舗等の名称表示欄４１に記載された店舗等の名称の位置をずらして表記する。更に、図９に示す表示例では、更新／未更新、そして新鮮度が保証又は非保証に応じてＰＯＩデータの店舗等の名称表示欄４１に記載された店舗等の名称に併記されたアイコン４４の大きさを変えて表記する。また、図１０に示す表示例では、ＰＯＩデータの店舗等の名称表示欄４１毎にデータベースにおける更新日を記載する更新日表示欄４５を設けて更新日を表記する。更に、図１１に示すように、信頼度が高い順に表示項目を並び替えた表示、又はユーザが希望する優先度に従って表示項目を並び替えた表示など、所定の規則に従って表示項目をソートするように構成してもよい。
【００４０】
以上、本発明の一実施の形態を説明した。本発明は上記実施の形態に限定されるものではなく、本発明の要旨の範囲内において種々の変形実施が可能である。
【００４１】
【発明の効果】
以上説明した本発明によれば、表示されるデータ項目とともに当該データの鮮度情報を表示するので、ユーザは表示されるデータ項目が更新された最新のものなのか、古い内容なのかを知ることができ、安心してナビゲーションによる誘導運転を行うことができる。
【図面の簡単な説明】
【図１】本発明の一実施の形態に係る車載用ナビゲーション装置の構成を示すブロック図である。
【図２】図１の差分データ処理部２０の構成を示すブロック図である。
【図３】ＰＯＩ差分データのデータ構成を示す図である。
【図４】本発明の車載用ナビゲーション装置における表示制御動作を示すフローチャートである。
【図５】本発明の車載用ナビゲーション装置における表示例を示す図である。
【図６】本発明の車載用ナビゲーション装置における他の表示例を示す図である。
【図７】本発明の車載用ナビゲーション装置における他の表示例を示す図である。
【図８】本発明の車載用ナビゲーション装置における他の表示例を示す図である。
【図９】本発明の車載用ナビゲーション装置における他の表示例を示す図である。
【図１０】本発明の車載用ナビゲーション装置における他の表示例を示す図である。
【図１１】本発明の車載用ナビゲーション装置における他の表示例を示す図である。
【図１２】一般的な差分データ配信の様子を示す概略図である。
【符号の説明】
１０　車載用ナビゲーション装置　　　　１１　ＣＰＵ
１２　データベース　　　　　　　　　　１３　ＲＯＭ
１４　ＲＡＭ　　　　　　　　　　　　　１５　差分データ受信部
１６　表示部　　　　　　　　　　　　　１７　表示制御部
１８　操作部　　　　　　　　　　　　　１９　記録媒体ドライブ
２０　ＰＯＩ差分データ処理部
２０−１　ＰＯＩ差分データ書込み処理部
２０−２　ＰＯＩデータの付加情報検出部
２０−３　更新情報比較部　　　　　　　２０−４　鮮度算出部
２１　記録媒体　　　　　　　　　　　　２２　内部バス
３１　ヘッダ部　　　　　　　　　　　　３２　ＰＯＩ差分データ部
４１　ＰＯＩデータ表示欄　　　　　　　４２　鮮度情報表示欄
４３　鮮度情報表示欄　　　　　　　　　　４４　アイコン
４５　更新日表示欄
【図１】
2004085286.tif 000003
【図２】
2004085286.tif 000004
【図３】
2004085286.tif 000005
【図４】
2004085286.tif 000006
【図５】
2004085286.tif 000007
【図６】
2004085286.tif 000008
【図７】
2004085286.tif 000009
【図８】
2004085286.tif 000010
【図９】
2004085286.tif 000011
【図１０】
2004085286.tif 000012
【図１１】
2004085286.tif 000013
【図１２】
2004085286.tif 000014